【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
入力ビデオデータをエンコードするためのビデオエンコーディングデバイスであって、
強いＰＰＧ信号を供給するために用いられ得る１又はそれ以上の関心のある領域を前記入力ビデオデータにおいて選択するための選択ユニットと、
エンコードされた１又はそれ以上の関心のある領域におけるＰＰＧ関連情報を保存するためにエンコーディングの第１の設定により予め決められたエンコーディングスキームに従って前記入力ビデオデータの選択された１又はそれ以上の関心のある領域をエンコードするための第１のエンコーディングユニットと、
エンコーディングの第２の設定により前記予め決められたエンコーディングスキームに従って前記入力ビデオデータの残りの部分をエンコードするための第２のエンコーディングユニットと、
エンコードされた１又はそれ以上の関心のある領域及び前記入力ビデオデータのエンコードされた残りの部分をエンコーダ出力ビデオストリームに組み合わせるためのエンコーダ組み合わせユニットとを有する、ビデオエンコーディングデバイス。
【請求項２】
前記選択ユニットは、
入力ビデオデータにおける１又はそれ以上のエリア（とりわけ、皮膚エリア）を１又はそれ以上の関心のある領域として選択するためのエリア選択ユニットであって、前記ビデオデータは、ビデオフレームのシーケンスを有し、これらのフレームは、空間ブロックに分割される、エリア選択ユニットと、
選択された１又はそれ以上のエリアに関する前記空間ブロックを決定するためのブロック選択ユニットであって、決定された空間ブロックが１又はそれ以上の関心のある領域を表す、ブロック選択ユニットとを更に有する、請求項１に記載のビデオエンコーディングデバイス。
【請求項３】
前記エリア選択ユニットは、
関心のある領域として用いられ得る入力ビデオデータにおける潜在的に使用可能なエリア（とりわけ、皮膚エリア）のセットを検出するための検出ユニットと、
検出された潜在的に使用可能なエリアのセットを分析し、１又はそれ以上の予め決められた選択基準に基づいて１又はそれ以上のエリアを１又はそれ以上の関心のある領域として選択するための分析ユニットとを有する、請求項２に記載のビデオエンコーディングデバイス。
【請求項４】
前記分析ユニットは、空間サイズ、照明安定性及び／又は色安定性を選択基準として用いるように適合される、請求項３に記載のビデオエンコーディングデバイス。
【請求項５】
前記分析ユニットは、検出された潜在的に使用可能なエリアからＰＰＧ信号を抽出するための、及び、抽出されたＰＰＧ信号の内容及び／又は品質に基づいて１又はそれ以上のエリアを１又はそれ以上の関心のある領域として選択するためのＰＰＧ抽出ユニットを有する、請求項３に記載のビデオエンコーディングデバイス。
【請求項６】
前記ＰＰＧ抽出ユニットは、抽出されたＰＰＧ信号に基づいて前記１又はそれ以上の関心のある領域をエンコードするための前記第１のエンコーディングユニットによる使用のためのエンコードのための前記第１の設定の１又はそれ以上のパラメータを決定するように適合され、
前記第１のエンコーディングユニットは、前記選択された関心のある領域のエンコードのための前記第１の設定の前記１又はそれ以上のパラメータを用いるように適合される、請求項５に記載のビデオエンコーディングデバイス。
【請求項７】
前記第１のエンコーディングユニットは、前記１又はそれ以上の関心のある領域の少なくともクロミナンス成分（とりわけ、クロミナンス成分のみ）をエンコードするように適合され、
前記第２のエンコーディングユニットは、前記１又はそれ以上の関心のある領域の輝度成分をエンコードするとともに、前記入力ビデオデータの前記残りの部分のクロミナンス成分及び輝度成分をエンコードするように適合される、請求項１に記載のビデオエンコーディングデバイス。
【請求項８】
前記第１のエンコーディングユニットは、内部ブロック符号化により前記１又はそれ以上の関心のある領域をエンコードするように適合され、
前記第２のエンコーディングユニットは、ブロック間及び／又は内部ブロック符号化により前記入力ビデオデータの残りの部分をエンコードするように適合される、請求項１に記載のビデオエンコーディングデバイス。
【請求項９】
前記第１のエンコーディングユニットは、前記１又はそれ以上の関心のある領域の少なくともクロミナンス成分（とりわけ、クロミナンス成分のみ）のブロック間又は内部ブロックのＤＣ成分のみをエンコードするように適合される、請求項１に記載のビデオエンコーディングデバイス。
【請求項１０】
入力ビデオデータをエンコードするためのビデオエンコーディング方法であって、
強いＰＰＧ信号を供給するために用いられ得る１又はそれ以上の関心のある領域を前記入力ビデオデータにおいて選択するステップと、
エンコードされた１又はそれ以上の関心のある領域におけるＰＰＧ関連情報を保存するためにエンコーディングの第１の設定により予め決められたエンコーディングスキームに従って前記入力ビデオデータの前記１又はそれ以上の関心のある領域をエンコードするステップと、
エンコーディングの第２の設定により前記予め決められたエンコーディングスキームに従って前記入力ビデオデータの残りの部分をエンコードするステップと、
エンコードされた１又はそれ以上の関心のある領域及び前記入力ビデオデータのエンコードされた残りの部分をエンコーダ出力ビデオストリームに組み合わせるステップとを有する、ビデオエンコーディング方法。
【請求項１１】
エンコードされたビデオストリームをデコードするためのビデオデコーディングデバイスであって、前記エンコードされたビデオストリームは、エンコードされたビデオデータを有し、入力ビデオデータの１又はそれ以上の関心のある領域は、エンコードされた１又はそれ以上の関心のある領域におけるＰＰＧ関連情報を保存するために、エンコードの第１の設定により予め決められたエンコーディングスキームに従ってエンコードされたものであり、前記入力ビデオデータの残りの部分は、エンコードの第２の設定により前記予め決められたエンコードスキームに従ってエンコードされたものであり、当該ビデオデコーディングデバイスは、
前記１又はそれ以上の関心のある領域をエンコードするために用いられたエンコードスキームに対して相補的なデコーディングスキームに従って、エンコードされた１又はそれ以上の関心のある領域をデコードするための第１のデコーディングユニットと、
デコードされた１又はそれ以上の関心のある領域からＰＰＧ信号を抽出するためのＰＰＧ抽出ユニットとを有する、ビデオデコーディングデバイス。
【請求項１２】
前記デコーディングスキームに従って前記入力ビデオデータのエンコードされた残りの部分をデコードするために第２のデコーディングユニットと、
デコードされた１又はそれ以上の関心のある領域及びデコードされた残りの部分をデコーダ出力ビデオストリームに組み合わせるためのデコーダ組み合わせユニットとを更に有する、請求項１１に記載のビデオデコーディングデバイス。
【請求項１３】
エンコードされたビデオストリームをデコードするためのビデオデコーディング方法であって、前記エンコードされたビデオストリームは、エンコードされたビデオデータを有し、入力ビデオデータの１又はそれ以上の関心のある領域は、エンコードされた１又はそれ以上の関心のある領域におけるＰＰＧ関連情報を保存するために、エンコードの第１の設定により予め決められたエンコーディングスキームに従ってエンコードされたものであり、前記入力ビデオデータの残りの部分は、エンコードの第２の設定により前記予め決められたエンコードスキームに従ってエンコードされたものであり、当該ビデオデコーディング方法は、
前記１又はそれ以上の関心のある領域をエンコードするために用いられたエンコードスキームに対して相補的なデコーディングスキームに従って、エンコードされた１又はそれ以上の関心のある領域をデコードするステップと、
デコードされた１又はそれ以上の関心のある領域からＰＰＧ信号を抽出するステップとを有する、ビデオデコーディング方法。
【請求項１４】
ビデオデータをエンコード及びデコードするためのビデオ符号化システムであって、
入力ビデオデータをエンコードするための請求項１に記載のビデオエンコーディングデバイスと、
前記ビデオエンコーディングデバイスによりエンコードされたエンコードされたビデオデータをデコードするための請求項１１に記載のビデオデコーディングデバイスとを有する、ビデオ符号化システム。
【請求項１５】
コンピュータプログラムがコンピュータ上で実行されたときに請求項１０又は請求項１３に記載の方法のステップを前記コンピュータに実行させるためのプログラムコード手段を有する、コンピュータプログラム。